(57)【要約】      （修正有）【課題】斜面の土砂崩壊を効果的に抑止することができる土砂崩壊抑止構造と土砂崩壊抑止工法を提供する。【解決手段】土砂崩壊抑止構造は、斜面に配置した複数の抑止体１０の外枠を帯状の連結材２０で相互に連結してなり、抑止体は、斜面を削孔して設置したアンカー材と、アンカー材の頭部をボルト孔に貫通させて斜面に設置した支圧板と、アンカー材の頭部に螺着したナットと、からなり、ナットをアンカー材の頭部に締結することで支圧板を斜面に加圧可能に構成した。土砂崩壊抑止工法は、斜面にアンカー孔を削孔し、アンカー孔内にアンカー材を設置する工程と、斜面から露出したアンカー材の頭部を支圧板のボルト孔に貫通させて、支圧板を斜面に設置する工程と、アンカー材の頭部にナットを螺着してアンカーボルトを緊張することで、支圧板を斜面に加圧する工程と、斜面に配置した複数の支圧板の外枠を帯状の連結材で相互に連結する工程と、を含む。【選択図】図１
2017031667.tif 000002
【特許請求の範囲】
【請求項１】
斜面に配置した複数の抑止体の外枠を帯状の連結材で相互に連結してなり、
前記抑止体は、斜面を削孔して設置したアンカー材と、前記アンカー材の頭部をボルト孔に貫通させて斜面に設置した支圧板と、前記アンカー材の頭部に螺着したナットと、からなり、
前記ナットを前記アンカー材の頭部に締結することで前記支圧板を斜面に加圧可能に構成したことを特徴とする、
土砂崩壊抑止構造。
【請求項２】
前記支圧板は、鋼材を十字型に組み合わせた十字枠と、前記十字枠の外周先端の間を連結する状態で、前記十字枠の周囲に取り付けた外枠と、前記十字枠の中心に、前記十字枠の面と直交方向に貫通させたボルト孔とにより構成し、前記外枠だけで前記アンカー材の反力を斜面に伝達可能に構成したことを特徴とする、請求項１に記載の、土砂崩壊抑止構造。
【請求項３】
複数の前記抑止体を斜面に千鳥状に配置したことを特徴とする、請求項１または２に記載の、土砂崩壊抑止構造。
【請求項４】
前記複数の抑止体を斜面の傾斜方向に連結する縦連結材と、前記複数の抑止体を斜面の連続方向に連結する横連結材とを、交差させたことを特徴とする、請求項３に記載の、土砂崩壊抑止構造。
【請求項５】
前記連結材は、鉄板または炭素繊維シートであり、前記連結材の帯幅を拡幅可能であることを特徴とする、請求項１乃至４のいずれか一項に記載の、土砂崩壊抑止構造。
【請求項６】
鋼材を十字型に組み合わせた十字枠と、前記十字枠の外周先端の間を連結する状態で、前記十字枠の周囲に取り付けた外枠と、前記十字枠の中心に、前記十字枠の面と直交方向に貫通させたボルト孔とにより構成し、前記外枠だけでアンカー材の反力を斜面に伝達可能に構成した支圧板を使用し、
斜面にアンカー孔を削孔し、前記アンカー孔内にアンカー材を設置する工程と、
斜面から露出した前記アンカー材の頭部を前記支圧板のボルト孔に貫通させて、前記支圧板を斜面に設置する工程と、
前記アンカー材の頭部にナットを螺着して前記アンカーボルトを緊張することで、前記支圧板を斜面に加圧する工程と、
斜面に配置した複数の前記支圧板の外枠を帯状の連結材で相互に連結する工程と、を含むことを特徴とする、
土砂崩壊抑止工法。
【発明の詳細な説明】
【技術分野】
【０００１】
本発明は、土砂崩壊抑止構造と土砂崩壊抑止工法に係り、特に複数の支圧板を相互に連結した土砂崩壊抑止構造と土砂崩壊抑止工法に係る。
【背景技術】
【０００２】
土砂崩壊抑止に係る従来技術として、特許文献１には、鋼材を十字型に組み合わせた十字枠と、十字枠の外周先端の間を連結する外枠とからなる支圧板を使用し、斜面に貫通したアンカーボルトの頭部を支圧板のボルト孔に挿通し、アンカーボルトに緊張を付与することで支圧板を加圧する工法が開示されている。
【０００３】
また、特許文献２には、斜面に貫入したアンカーボルトの頭部に支圧板を嵌装し、アンカーボルトに緊張を付与する支圧金物と、隣接する複数の支圧金物を相互にワイヤで緊張連結する工法が開示されている。
【先行技術文献】
【特許文献】
【０００４】
【特許文献１】特開２０１０‐１３８６３０号公報
【特許文献２】特開平９−１１１７６１号公報
【発明の概要】
【発明が解決しようとする課題】
【０００５】
しかし、従来技術には次のような欠点がある。
＜１＞特許文献１の技術は、隣接する支圧板の間からの表層崩壊（中抜け）を抑止することができない。特許文献２の技術も、斜面をワイヤ（線）で拘束する構造であるため非拘束面の単位面積が大きく、中抜けを十分に抑止することができない。
＜２＞特許文献１の技術は、支圧板のボルト孔部分を支点とする片持ち梁構造となる。そのため、外枠付近に曲げモーメントがかかると支圧板が変形し、十分な土砂崩壊抑止力を発揮できないことがある。
＜３＞特許文献２の技術は、ワイヤの耐用年数が短く、ワイヤに常時緊張を付与しておくため部材への負担が大きく破損しやすい。
【０００６】
本発明の目的は、これらの課題を解決する、土砂崩壊抑止構造および土砂崩壊抑止工法を提供することにある。
【課題を解決するための手段】
【０００７】
上記のような課題を解決するための本発明の土砂崩壊抑止構造は、斜面に配置した複数の抑止体の外枠を帯状の連結材で相互に連結してなり、抑止体は、斜面を削孔して設置したアンカー材と、アンカー材の頭部をボルト孔に貫通させて斜面に設置した支圧板と、アンカー材の頭部に螺着したナットと、からなり、ナットをアンカー材の頭部に締結することで支圧板を斜面に加圧可能に構成したことを特徴とする。
【０００８】
本発明の土砂崩壊抑止構造は、支圧板が、鋼材を十字型に組み合わせた十字枠と、十字枠の外周先端の間を連結する状態で、十字枠の周囲に取り付けた外枠と、十字枠の中心に、十字枠の面と直交方向に貫通させたボルト孔とにより構成し、外枠だけでアンカー材の反力を斜面に伝達可能に構成することが望ましい。
【０００９】
本発明の土砂崩壊抑止構造は、複数の抑止体を斜面に千鳥状に配置するのが望ましい。
【００１０】
本発明の土砂崩壊抑止構造は、複数の抑止体を斜面の傾斜方向に連結する縦連結材と、複数の抑止体を斜面の連続方向に連結する横連結材とを、交差させることが望ましい。
【００１１】
本発明の土砂崩壊抑止構造は、連結材が、鉄板または炭素繊維シートであり、連結材の帯幅を拡幅可能であることが望ましい。
【００１２】
本発明の土砂崩壊抑止工法は、鋼材を十字型に組み合わせた十字枠と、十字枠の外周先端の間を連結する状態で、十字枠の周囲に取り付けた外枠と、十字枠の中心に、十字枠の面と直交方向に貫通させたボルト孔とにより構成し、外枠だけでアンカー材の反力を斜面に伝達可能に構成した支圧板を使用し、斜面にアンカー孔を削孔し、アンカー孔内にアンカー材を設置する工程と、斜面から露出したアンカー材の頭部を支圧板のボルト孔に貫通させて、支圧板を斜面に設置する工程と、アンカー材の頭部にナットを螺着してアンカーボルトを緊張することで、支圧板を斜面に加圧する工程と、斜面に配置した複数の支圧板の外枠を帯状の連結材で相互に連結する工程と、を含むことを特徴とする。
【発明の効果】
【００１３】
本発明の土砂崩壊抑止構造および土砂崩壊抑止工法は、以上の構成を有するため、次の効果の少なくともひとつを備える。
＜１＞隣接する支圧板の間の斜面を帯状の連結材で抑えるため、非拘束面の単位面積を細分化・小面積化することができる。よって、斜面の中抜けを効果的に抑止することができる。
＜２＞隣接する支圧板を外枠部分で相互に連結した一体構造とすることで、支圧板の変形を抑止して、高い土砂崩壊抑止力を発揮することができる。
＜３＞帯状の鋼材を連結材として用い、また連結材を緊張しないため、耐用年数が長い。
＜４＞連結材を炭素繊維シートとすれば、温泉地など酸性度の高い場所でも使用できる。
＜５＞地山の状態に応じて連結材の帯幅を調整することで中抜け効果を高めることができる。
【図面の簡単な説明】
【００１４】
【図１】本発明に係る土砂崩壊抑止構造の説明図。
【図２】抑止体の説明図。
【図３】連結材の説明図。
【図４】本発明に係る土砂崩壊抑止工法の説明図。
【図５】本発明に係る土砂崩壊抑止工法の実施例２の説明図。
【発明を実施するための形態】
【００１５】
以下、図面を参照しながら本発明の土砂崩壊抑止構造および土砂崩壊抑止工法について詳細に説明する。
なお、斜面の傾斜方向を「縦方向」、斜面の水平方向を「横方向」として説明する。
【実施例１】
【００１６】
[土砂崩壊抑止構造]
＜１＞全体の構成（図１）。
本発明の土砂崩壊抑止構造１は、斜面に配置した複数の抑止体１０を連結材２０で相互に連結してなる構造体である。
本発明の土砂崩壊抑止構造１は、抑止体１０同士を幅広な連結材２０で結合することで、斜面の崩壊を点（独立した支圧板）や線（ワイヤ）ではなく、面で抑止する構造である。
それぞれの抑止体１０は縦方向、横方向にできるだけ等間隔に配列して配置するのが望ましい。
【００１７】
＜２＞抑止体（図２）。
抑止体１０は、斜面を削孔して設置したアンカー材１２と、アンカー材１２の頭部を貫通させて斜面に設置した支圧板１１と、アンカー材１２の頭部に螺着したナット１３と、を有する。アンカー材１２の周囲の孔内には充填材１５を充填する。
【００１８】
＜２．１＞支圧板。
支圧板１１は、十字枠１１ａと、十字枠１１ａの周囲に取り付けた外枠１１ｂと、十字枠１１ａの中心に、十字枠１１ａの面と直交方向に貫通させた、ボルト孔１１ｃとからなる板状の枠体である。
十字枠１１ａと外枠１１ｂは鋼材を成形し溶接して作成する。
外枠１１ｂの周面であって、十字枠１１ａの端部との連結部分に、後述する連結材２０と連結するための連結孔を穿孔する。
【００１９】
＜２．２＞アンカー材。
アンカー材１２は、支圧板１１を斜面に加圧状態で押し付けるための棒材である。使用時には支圧板１１のボルト孔１１ｃに挿通する。
本例では、アンカー材１２として、少なくとも斜面から露出する頭部にネジを刻設した鋼棒を採用する。ネジ部は支圧用のナット１３を螺着可能に形成する。
ナット１３締結後のアンカー材１２の頭部には、保護キャップ１４を被せてもよい。
【００２０】
＜２．３＞充填材。
充填材１５は、アンカー材１２を斜面の孔内に固定するための部材である。本例では、充填材１５としてモルタルを採用する。
【００２１】
＜３＞連結材（図３）。
連結材２０は、抑止体１０同士を連結する部材である。
本例では、連結材２０として鋼製の帯状体を採用する。ただし所定の強度と耐久性を有していれば鋼製に限られず、炭素繊維シートなどを採用しても良い。
本例では、連結材２０は、二部材の連結構造とする。
それぞれの連結材２０は、帯状部２１と、帯状部２１の一端を上方に折り返し、折り返し部分に支圧板１１の外枠１１ｂと連通可能な連結孔を設けた締結部２２と、帯状部２１の他端側に長手方向に沿って設けた複数の調整孔２３と、と有する。
また、連結材２０は一部材として構成することもできる。この場合は締結部２２を帯状部２１の両端に設ける。
連結材２０の長さや高さを調整するために、調整孔を設けた板状体である調整ピース２４を帯状部２１の間に介装させてもよい。
【００２２】
[土砂崩壊抑止工法]
引き続き、本発明の土砂崩壊抑止工法について説明する。
＜１＞アンカーの設置。
斜面に直交する方向に向けて、アンカー材１２を設置するためのアンカー孔を削孔する。アンカー孔は設置後に抑止体１０が千鳥状に整列するように配置する。
アンカー孔内にアンカー材１２を挿入する。
アンカー孔内のアンカー材１２の周囲に充填材１５を充填する。充填材１５を固化させることで、アンカー材１２をアンカー孔内に固定する。
【００２３】
＜２＞支圧板の設置。
斜面から突出したアンカー材１２の頭部に支圧板１１のボルト孔１１ｃを挿通して、支圧板１１を斜面に設置する。
ボルト孔１１ｃから突出したアンカー材１２の頭部のネジ山にナット１３を取り付けて回転させ、所定のトルクに達するまで締付ける。
これによって、支圧板１１が斜面に加圧状態で押し付けられ、アンカー材１２には支圧板１１を反力とした緊張力が付与される。
同様の作業で所定数の抑止体１０を斜面に設置する。
【００２４】
＜３＞抑止体の連結（図４）。
複数の抑止体１０同士を、縦方向、横方向に連結材２０で連結する。
連結する２つの抑止体１０の外枠１１ｂに、それぞれ連結材２０の締結部２２を締結する。
帯状部２１の自由端同士を重ね合わせてそれぞれの調整孔２３でボルト連結する。それぞれの連結材２０に調整孔２３が複数設けられているため、抑止体１０の間隔にあわせて連結長さを微調整することができる。
また、二枚の連結材２０を重ね合わせたり、数枚の連結材２０を幅方向に並べて接続することで、連結材２０の帯幅を広げ、斜面の中抜け効果を高めることができる。
【００２５】
＜４＞抑止体の配置（図１）。
本例では、複数の抑止体１０を、列ごとに縦方向または横方向にずらして千鳥状に配置する。
例えば列ごとに横方向にずらした千鳥状とする場合、左右方向は隣接する抑止体１０同士を連結するが、上下方向は一列離れた列の抑止体１０と連結する。
よって、縦方向の連結材２０と横方向の連結材２０とは、中間において略直交方向に交差する。
【００２６】
＜５＞土砂崩壊抑止構造の特徴。
本発明の土砂崩壊抑止構造１は、抑止体１０を千鳥状に連結し、縦横の連結材２０が中間で交差するため、斜面の非拘束面（支圧板にも連結材にも被覆されていない面）を細分化することができる。また、連結材２０を幅広の帯状体で構成するため、非拘束面を小面積化することができる。
よって、従来技術において個々の支圧板やワイヤの間をすり抜けて発生していた表層崩壊（中抜け）を防止することができる。
また、各支圧板１１の外枠１１ｂ同士を相互に連結することで、支圧板１１の変形を防止し、斜面の崩壊を効果的に抑止することができる。
さらに、土砂崩壊時には、崩壊部以外の抑止体１０が、連結材２０で崩壊部のアンカー材１２の移動を引き留めることで、崩壊の規模を小さくすることができる。
【実施例２】
【００２７】
[上下の抑止体同士を斜めに連結した例]
引き続き、上下方向の抑止体１０を斜めに連結した、他の実施例について説明する。
本例では、抑止体１０を列ごとに横方向にずらして千鳥状に配置し、上下方向の抑止体１０を連結材２０で斜め方向に連結する（図５）。
本例の場合、土砂崩壊抑止構造１がハニカム状に構成されるため、柔軟性が向上し、荷重分散効果を高めることができる。
また、ハニカム構造によって、斜面の起伏への追従性が良好となる。
【実施例３】
【００２８】
[連結材でアンカー材の頭部を連結した例]
引き続き、複数の抑止体１０をアンカー材１２の頭部で連結した、他の実施例について説明する。
実施例１と２では、連結材２０を支圧板１１の外枠１１ｂに接合することで、抑止体１０同士を連結した。これに対し、本例では連結材２０でアンカー材１２の頭部と頭部とを繋ぐことで抑止体１０を連結する。
本例の場合、アンカー材１２同士を直接連結するため相互の拘束がより強固になる、抑止体１０の斜め方向への連結が容易になる、などの効果を更に奏する。
【符号の説明】
【００２９】
１      土砂崩壊抑止構造
１０    抑止体
１１    支圧板
１１ａ  十字枠
１１ｂ  外枠
１１ｃ  ボルト孔
１２    アンカー材
１３    ナット
１４    保護キャップ
１５    充填材
２０    連結材
２１    帯状部
２２    締結部
２３    調整孔
２４    調整ピース
【図１】
2017031667.tif 000003
【図２】
2017031667.tif 000004
【図３】
2017031667.tif 000005
【図４】
2017031667.tif 000006
【図５】
2017031667.tif 000007